(57)【要約】      （修正有）【課題】ファインダー内に配置された水準器表示と方眼線表示が重なる場合に、各々の表示を見やすくする。【解決手段】ファインダーと、撮像装置の姿勢を検出する姿勢検出手段と、ファインダー内に前記撮像装置の姿勢検出結果を表示する姿勢検出結果用表示セグメントと、ファインダー内に方眼線を表示する第一の方眼線用表示セグメントと、ファインダー内に方眼線を表示する第二の方眼線用表示セグメントと、姿勢検出結果を表示するか方眼線を表示するかを設定する設定手段と、表示セグメントを表示する表示手段とを供え、設定手段の結果、姿勢検出結果のみを表示する設定の場合、姿勢検出結果用表示セグメントを表示し、方眼線のみを表示する設定の場合、姿勢検出結果用表示セグメントと第一、第二の方眼線用表示セグメントを表示し、姿勢検出結果と方眼線の両方を表示する設定の場合、姿勢検出結果用表示セグメントと第一の方眼線用表示セグメントを表示する。【選択図】図１
2015125308.tif 000002
【特許請求の範囲】
【請求項１】
ファインダー（図２の１０４）と、
撮像装置の姿勢を検出する姿勢検出手段（図２の５８）と、
前記ファインダー内に前記撮像装置の姿勢検出結果を表示する姿勢検出結果用表示セグメント（図７a）と、
前記ファインダー内に方眼線を表示する第一の方眼線用表示セグメント（図４）と、
前記ファインダー内に方眼線を表示する第二の方眼線用表示セグメント（図５）と、
前記姿勢検出結果を表示するか方眼線を表示するかを設定する設定手段（図１１）と、
前記表示セグメントを表示する表示手段（図２の５６）と、
前記設定手段の結果、姿勢検出結果のみを表示する設定の場合、
前記姿勢検出結果用表示セグメント（図７a）を表示し、
前記設定手段の結果、方眼線のみを表示する設定の場合、
前記姿勢検出結果用表示セグメント（図７a）と前記第一、第二の方眼線用表示セグメント（図４と図５）を表示し、
前記設定手段の結果、姿勢検出結果と方眼線の両方を表示する設定の場合、
前記姿勢検出結果用表示セグメント（図７a）と前記第一の方眼線用表示セグメント（図４）を表示するように前記表示手段を制御することを特徴とする撮像装置。
【発明の詳細な説明】
【技術分野】
【０００１】
本発明は、電子スチルカメラ等の撮像装置に関し、特に方眼線と水準器結果の両方の表示を行う撮像装置の制御方法に関するものである。
【背景技術】
【０００２】
従来から、写真撮影において、撮影前にカメラ本体の水平が出ているか確認したい要望や構図を決める為に、ファインダー内に方眼線を表示して欲しいなどのユーザー要望がある。このような要望を実現する為、水準器を内蔵したカメラや、方眼線を液晶表示で表示可能なカメラや、フォーカシングスクリーンで方眼線をファインダー内に投影するなどの手段が一般的となっている。
【０００３】
特許文献１では、表示手段で異なる色を発光させることで複数の情報の種類を瞬時に区別できるようにさせる特許が開示されている。
【先行技術文献】
【特許文献】
【０００４】
【特許文献１】特開平１１−３８４１３号公報
【発明の概要】
【発明が解決しようとする課題】
【０００５】
しかしながら、上述の特許文献に開示された従来技術では、表示が重なった場合についての記載はない。
【０００６】
そこで、本発明の目的は、ファインダー内に配置された水準器表示と方眼線表示が重なる位置に配置されている場合に、水準器表示と方眼線表示が見にくくならないようにした撮像装置を提供することである。
【課題を解決するための手段】
【０００７】
上記目的を達成するために、本発明は、
ファインダーと、
撮像装置の姿勢を検出する姿勢検出手段と、
前記ファインダー内に前記撮像装置の姿勢検出結果を表示する姿勢検出結果用表示セグメントと、
前記ファインダー内に方眼線を表示する第一の方眼線用表示セグメントと、
前記ファインダー内に方眼線を表示する第二の方眼線用表示セグメントと、
前記姿勢検出結果を表示するか方眼線を表示するかを設定する設定手段と、
前記表示セグメントを表示する表示手段と、
前記設定手段の結果、姿勢検出結果のみを表示する設定の場合、
前記姿勢検出結果用表示セグメントを表示し、
前記設定手段の結果、方眼線のみを表示する設定の場合、
前記姿勢検出結果用表示セグメントと前記第一、第二の方眼線用表示セグメントを表示し、
前記設定手段の結果、姿勢検出結果と方眼線の両方を表示する設定の場合、
前記姿勢検出結果用表示セグメントと前記第一の方眼線用表示セグメントを表示するように前記表示手段を制御することを特徴とする撮像装置。
【発明の効果】
【０００８】
本発明によれば、水準器と方眼線の同時表示において、見やすく表示させることが可能になる。
【図面の簡単な説明】
【０００９】
【図１】水準器と方眼線の同時表示した場合のファインダー表示画面である。
【図２】一眼レフレックスカメラの構成を示す図である。
【図３】ファインダー内表示すべてを表示した場合のファインダー表示画面である。
【図４】方眼線１を表示した場合のファインダー表示画面である。
【図５】方眼線２を表示した場合のファインダー表示画面である。
【図６】姿勢差検出結果すべてを表示した場合のファインダー表示画面である。
【図７ａ】図６の拡大表示（セグメントの詳細表示）である。
【図７ｂ】図９-jの拡大表示（セグメントの詳細表示）である。
【図８】方眼表示のみの場合のファインダー表示画面である。
【図９】姿勢差検出結果の水準器表示例である。
【図１０】カメラの動作フローを示すフローチャート図である。
【図１１】ＴＦＴ表示による「ファインダー内表示設定」の設定画面説明図である。
【図１２】図１０のステップ１１の詳細フローチャート図である。
【発明を実施するための形態】
【００１０】
以下に、本発明の好ましい実施の形態を、添付の図面に基づいて詳細に説明する。
【００１１】
図２は第１の実施形態における一眼レフレックスカメラの構成を示す図である。一眼レフレックスカメラ（以下、カメラという）１００には、カメラ１００に対して着脱可能な交換レンズ２２０が装着される。
【００１２】
カメラ１００において、主ミラー２は、撮影光路に対し、観察状態で斜めの位置あるいは撮影状態で退避した位置に移動自在である。サブミラー３は、撮影光路に対して斜めに配置され、主ミラー２を透過した光束を、カメラボディの下方に向けて反射し、焦点検出装置６に導く。
【００１３】
シャッタ４は撮像素子５の露出量を制御する。撮像素子５は、ＣＣＤセンサやＣＭＯＳセンサ等から構成される。撮像素子５は、交換レンズ２２０を通して結像した被写体の光学像を光電変換する。測光センサ７は、主ミラー２で反射した光束の一部を入射し、被写体の輝度信号を測光回路４２に出力する。
【００１４】
Ａ／Ｄ変換器１６は、撮像素子５からのアナログ撮像信号をデジタル信号に変換する。タイミング発生回路１８は、撮像素子５、Ａ／Ｄ変換器１６およびＤ／Ａ変換器２６にクロック信号を供給する。タイミング発生回路１８は、メモリ制御回路２２およびシステム制御回路５０により制御される。
【００１５】
画像処理回路２０は、Ａ／Ｄ変換器１６あるいはメモリ制御回路２２からのデジタル撮像信号に対し、画素補間処理、色変換処理、ＡＷＢ（オートホワイトバランス）処理等の各種画像処理を行い、画像信号（映像）を生成する。
【００１６】
焦点検出装置６は、複数の測距エリアを有する位相差検出用のセンサを含む。
【００１７】
システム制御回路（システム制御部）５０は、焦点検出装置６の蓄積制御や読み出し制御を行い、周知の位相差検出方法によりデフォーカス量を算出する。システム制御回路５０は、カメラ１００全体の動作やデフォーカス量などから、交換レンズ２２０のフォーカス駆動や絞り駆動を制御する。また、システム制御回路５０は、図示しない記憶制御機能および表示制御機能を有する。
【００１８】
メモリ制御回路２２は、Ａ／Ｄ変換器１６、タイミング発生回路１８、画像処理回路２０、画像表示メモリ２４、Ｄ／Ａ変換器２６、メモリ３０および圧縮伸長回路３２を制御する。
【００１９】
画像処理回路２０からの画像信号あるいはＡ／Ｄ変換器１６からのデジタル撮像信号は、メモリ制御回路２２を介して画像表示メモリ２４、メモリ３０やシステム制御回路５０に送られる。
【００２０】
画像表示部２８は、ＬＣＤやＴＦＴ等から構成される。画像表示メモリ２４に書き込まれた表示用画像データやカメラの設定メニューなどの画像データは、Ｄ／Ａ変換器２６を介して画像表示部２８に送られ、画像表示部２８に表示される。メモリ３０は、生成された静止画像を格納する。また、メモリ３０は、システム制御回路５０の作業領域としても使用される。
【００２１】
圧縮伸長回路３２は、適応離散コサイン変換（ＡＤＣＴ）等により画像データを圧縮伸長する。圧縮伸長回路３２は、メモリ３０に格納された画像データを読み込んで圧縮処理あるいは伸長処理を行い、処理を終えた画像データを再びメモリ３０に書き込む。
【００２２】
露光制御回路４０は、シャッタ４を制御するとともに、システム制御回路５０を介して交換レンズ２２０の絞り２２４も制御する。測光回路４２は、測光センサ７から出力される信号をシステム制御回路５０に出力する。
【００２３】
メモリ５２は、システム制御回路５０の動作用の定数、変数、コンピュータプログラム等のデータを記憶する。不揮発性メモリ５４は、データを電気的に消去・記録可能なメモリである。不揮発性メモリ５４には、ＥＥＰＲＯＭ等が用いられる。
【００２４】
水準器５８は、カメラの姿勢差を検出する検出部で、カメラの姿勢差情報をシステム制御５０へ通知している。
【００２５】
情報出力部５６は、文字、画像、音声等を用いてカメラ１００の動作状態やメッセージ等の情報を出力する。情報出力部５６は、光学ファインダー内で、ファインダー画面内に表示可能な液晶表示素子やスピーカ等から構成される。図３は、ファインダー画面内に表示される表示セグメントを全て点灯した場合の表示である。ここで、ファインダー画面に表示される表示セグメントに関して、図４〜図９を使用して詳細に説明する。
【００２６】
図４は、表示セグメントの方眼線１を点灯した場合の表示である。図５は、表示セグメントの方眼線２を点灯した場合の表示である。図６は、表示セグメントの姿勢差検出結果を全て点灯した場合の表示である。図７aは、図６の拡大表示（セグメントの詳細表示）である。図７aのように、姿勢差検出結果の表示セグメントは、縦線１本と横線２本と各ドットで別れている。
【００２７】
前記姿勢差検出結果の表示セグメントの縦線のみを表示して、図４の方眼線１の表示セグメントと図５の方眼線２の表示セグメントを全て表示すると図８のように、ファインダー画面は、方眼表示画面とすることができる。
【００２８】
図９は、姿勢差検出結果（水準器表示）の表示セグメントの対応例を表している。
ここで、図９を使用して詳細に説明する。
【００２９】
また、ファインダー内の水準器表示としては、水平方向は−６度以下・−５度・−４度・−３度・−２度・−１度・０度・＋１度・＋２度・＋３度・＋４度・＋５度・＋６度以上を表示できる。あおり方向は、−２度以下・−１度・０度・＋１度・２度以上を表示できる。
【００３０】
図９-aは、水平方向が０度（右上がりをプラス、左上がりをマイナスと定義）で、あおり方向（前上がりをプラス、後ろ上がりをマイナスと定義）が０度を示している。図９-bは、水平方向が＋１度で、あおり方向が０度。図９-cは、水平方向が＋６度以上で、あおり方向が０度。図９-dは、水平方向が−１度で、あおり方向が０度。図９-eは、水平方向が−６度以上で、あおり方向が０度。図９-fは、水平方向が０度で、あおり方向が＋１度。図９-gは、水平方向が０度で、あおり方向が＋２度以上。図９-hは、水平方向が０度で、あおり方向が−１度。図９-iは、水平方向が０度で、あおり方向が−２度以上。図９-jは、水平方向が−４度で、あおり方向が＋１度。図７-bは、図９-jのセグメントの詳細表示です。
【００３１】
図２に戻って、モードダイヤルスイッチ６０は、電源のＯＦＦや、撮像モード（絞り優先モードやプログラムモード等）の切り替えを設定するための操作部材である。シャッタスイッチ６２は、撮像準備スイッチ（ＳＷ１）と撮影開始スイッチ（ＳＷ２）からなる。シャッタボタン（図示せず）の第１ストローク操作（半押し）により、撮像準備スイッチ（ＳＷ１）がＯＮとなり、測光（ＡＥ処理）およびＡＦ処理等の撮像準備動作が開始する。さらに、シャッタボタンの第２ストローク操作（全押し）により、撮影開始スイッチ（ＳＷ２）がＯＮとなり、撮像動作が開始する。
【００３２】
ここで、撮像動作には、シャッタ４の開閉動作、撮像素子５からの撮像信号に基づいて画像処理回路２０で画像信号を生成する動作、およびメモリ制御回路２２を介して画像信号をメモリ３０に書き込む動作が含まれる。また、メモリ３０から画像データを読み出して、圧縮伸長回路３２で圧縮し、記録媒体２００，２１０に記録する動作も含まれる。これら一連の撮像動作は、記録用画像の取得動作とも称される。
【００３３】
記録媒体２００，２１０は、半導体メモリや光ディスク等から構成される。操作部７０は、各種ボタンやタッチパネル等を含み、カメラ１００の機能選択や各種設定を行うためのメニュー画面を表示するなど、メニュー項目を決定するために操作される。
【００３４】
電源制御回路７８は、電池残量の検出を行う電池検出回路、電池からの電源電圧を所定の動作電圧に変換するＤＣ−ＤＣコンバータ、通電するブロックを切り替えるスイッチ回路等を含む。電池８０はカメラ１００に着脱可能である。電池８０内の電源８６には、アルカリ電池やリチウム電池等の一次電池や、ＮｉＭＨ電池、Ｌｉ電池等の二次電池が使用される。コネクタ８２，８４は、電源８６とカメラ１００との電気的接続を行う。
【００３５】
インタフェース９０，９４は、それぞれ記録媒体２００，２１０と通信を行うものである。コネクタ９２，９６は、それぞれ記録媒体２００，２１０に接続される。記録媒体着脱検知器９８は、コネクタ９２，９６に記録媒体２００，２１０がそれぞれ装着されているか否かを検知する。
【００３６】
通信部１１０は、ＲＳ２３２Ｃ、ＵＳＢ、ＩＥＥＥ１３９４、無線通信等の通信機能を有する。コネクタ１１２は、通信部１１０を介してカメラ１００に他の機器を接続するものである。無線通信を行う場合、通信部１１０には、アンテナが接続される。
【００３７】
記録媒体２００，２１０は、それぞれカメラ１００と通信を行うためのインタフェース２０４，２１４、およびカメラ１００と電気的接続を行うコネクタ２０６，２１６を有する。記録部２０２，２１２には、それぞれカメラ１００から出力される圧縮画像データが書き込まれる。
【００３８】
一方、交換レンズ２２０において、撮像レンズ群１は、複数のレンズから構成され、光軸方向に移動してフォーカス調整を行うフォーカスレンズや、光軸方向に移動して変倍を行うズームレンズを含む。絞り２２４は、撮像素子５に到達する光量を調節する。撮像光学系は、撮像レンズ群１および絞り２２４から構成される。
【００３９】
レンズ駆動回路２２６は、システム制御回路５０からの制御信号に従って、フォーカスレンズ、ズームレンズおよび絞り２２４を駆動するアクチュエータ（図示せず）を制御する。また、レンズ駆動回路２２６は、撮影レンズ動作用の定数、変数、プログラム等を記憶するメモリ機能を備える。その他、レンズ駆動回路２２６は、撮影レンズ固有の番号等の識別情報、管理情報、開放絞り値や最小絞り値、焦点距離等の機能情報、現在や過去の各設定値等を記憶する不揮発メモリの機能も備える。
【００４０】
コネクタ２２８は、カメラ１００の通信接点部４１と接続され、レンズ駆動回路２２６およびシステム制御回路５０間の通信を可能とする。また、コネクタ２２８は、電源８６からの電源電圧を交換レンズ２２０内に供給する。
【００４１】
図１１は画像表示部２８に表示される設定画面を示す図である。図１０はカメラにおける撮影および設定処理の手順を示すフローチャートである。この処理はシステム制御部５０によって実行される。
【００４２】
システム制御部５０は、レジスタの初期化、データの初期化、周辺部の初期化等の初期設定を行う（ステップＳ１）。
【００４３】
システム制御部５０は、不図示のカメラ設定ボタン（ＭＥＮＵ釦、ＳＥＴ釦など）、シャッタボタン、メイン電子ダイヤル、サブ電子ダイヤル、モードダイヤルスイッチ６０等の状態を検出する（ステップＳ２）。
【００４４】
システム制御部５０は、カメラの各種設定を行うためのＭＥＮＵ釦が押されているか否かを判別する（ステップＳ３）。ＭＥＮＵ釦が押されている場合、システム制御部５０は、カメラの各種設定を行い（ステップＳ４）、ステップＳ２の処理に進む。一方、ＭＥＮＵ釦が押されていない場合、システム制御部５０は、ステップＳ６の処理に進む。
ここで、図１１の設定画面における各種設定内容について説明する。図１１の（ａ）はＭＥＮＵ画面を示す。電子ダイヤルでＭＥＮＵ１〜ＭＥＮＵ４までのタグを選択することができる。また、サブ電子ダイヤル（図示せず）でＭＥＮＵの項目を選択することができる。また、ＳＥＴ釦（図示せず）を押すことで選択を確定させることができる。
【００４５】
また、ファインダー内表示設定の項目は、ＭＥＮＵ４に割り当てられている。
【００４６】
図１１（ａ）のＭＥＮＵ画面で、「ファインダー内表示設定」の項目がＳＥＴ釦により選択されると図１１（ｂ）の「ファインダー内表示設定」画面の表示に切り替わる。
【００４７】
「ファインダー内表示設定」画面では、ファインダー内表示できる項目と現在の設定内容が表示され、現在選択されている項目の枠が点滅表示される（点線部分）。項目の選択は、サブ電子ダイヤルで選択することができる。
【００４８】
図１１（ｂ）の状態で、ＳＥＴ釦を押すと、図１１（ｃ）の画面のように、選択項目で現在設定されている状態（この場合は、「しない」）の枠が点滅表示される。この状態で、サブ電子ダイヤルにより、「しない」「する」を選択することができ、ＳＥＴ釦を押すことで確定することができる。
【００４９】
図１１（ｂ）で、サブ電子ダイヤルで「水準器表示」を選択すると図１１（ｄ）の画面になり、選択されている「水準器表示」の項目の枠が点滅表示される。この状態で、ＳＥＴ釦を押すと、図１１（ｅ）の画面になり、選択項目で現在設定されている状態（この場合は、「しない」）の枠が点滅表示される。この状態で、サブ電子ダイヤルにより、「しない」「する」を選択することができ、ＳＥＴ釦を押すことで確定することができる。
【００５０】
図１０に戻って、システム制御部５０は、ステップＳ３でＭＥＮＵ釦が押されていない場合、測光／ＡＦ開始ＳＷ、つまり撮像準備スイッチ（ＳＷ１）がオフであるか否かを判別する（ステップＳ６）。測光／ＡＦ開始ＳＷがオフである場合、システム制御部５０は、ステップＳ１４の処理に進む。
【００５１】
一方、測光／ＡＦ開始ＳＷがオンである場合、システム制御部５０は、装着された交換レンズ（撮影レンズ）２２０の各種情報を読み取る（ステップＳ７）。撮影レンズ２２０からレンズ情報を取得する際、システム制御部５０は、撮影レンズ２２０と通信を行い、撮影レンズ２２０のレンズ情報を取得する。レンズ情報には、レンズ固有情報、焦点距離、絞り値、フォーカスレンズ位置などの情報が含まれている。
【００５２】
システム制御部５０は、被写体に焦点を合わせるために、周知の位相差検出方式による測距演算を行う（ステップＳ８）。システム制御部５０は、前述した測距演算によるデータをもとに、レンズ駆動量を算出してレンズを駆動する（ステップＳ９）。
【００５３】
システム制御部５０は、測光回路４２からの出力、設定されたＩＳＯ感度、撮影モード等のカメラ設定情報から、シャッタスピード（ＣＭＯＳ蓄積時間）、絞り値等を決定するための測光演算処理を行う（ステップＳ１０）。
【００５４】
ステップＳ１０で測光演算を行った後、システム制御部５０は、測光演算等により求められたシャッタ秒時、絞り値等のカメラの情報を画像表示部２８に表示するとともに、情報出力５６でファインダー内表示に、「ファインダー内表示設定」で設定された内容を表示する（ステップＳ１１）。
【００５５】
ここで、図１２により、表示のフローを詳細に説明する。
【００５６】
図１２で、システム制御部５０からのシャッタ秒時、絞り値やカメラ設定情報などを画像表示部２８のＴＦＴ表示部に表示する（ステップ２０）。ファインダー内表示設定が方眼表示するか否かを判別する（ステップ２１）。方眼表示する場合、方眼線１（図４）を表示し（ステップ２２）、ファインダー内表示設定が水準器表示するか否かを判別する（ステップ２３）。水準器表示する場合は、姿勢差検出結果を表示する（ステップ２７）。
【００５７】
一方、ステップ２１でファインダー内表示設定が方眼表示しない場合は、ファインダー内表示設定が水準器表示するか否かを判別する（ステップ２６）。水準器表示する場合は、姿勢差検出結果を表示する（ステップ２７）。ステップ２３で、水準器表示しない場合は、姿勢差検出結果の縦線のみを表示（ステップ２４）して、方眼線２を表示する（ステップ２５）。
【００５８】
図１０に戻って、システム制御部５０は、撮影操作ＳＷ、つまり撮影開始スイッチ（ＳＷ２）がオンであるか否かを判別する（ステップＳ１２）。撮影操作ＳＷがオンである場合、システム制御部５０は、周知の撮像素子５のゲイン設定、蓄積動作および読み出し動作を行うとともに、画像処理、画像書き込み等の静止画の撮影動作を行う（ステップＳ１３）。この後、システム制御部５０はステップＳ２の処理に戻る。
【００５９】
一方、ステップＳ１２で撮影操作ＳＷがオフである場合、システム制御部５０は、カメラの動作電源ＳＷ（図示せず）がオンであるか否かを判別する（ステップＳ１４）。カメラの動作電源ＳＷがオンである場合、システム制御部５０はステップＳ２の処理に戻る。
【００６０】
一方、カメラの動作電源ＳＷがオフである場合、システム制御部５０は、カメラの動作を終了させるために、周辺回路への電源オフの指示やデータの退避等の終了設定を行い（ステップＳ１５）、本処理を終了する。
【００６１】
このように、実施形態の撮像装置によれば、ファインダー内表示設定で、方眼表示と水準器表示の両方を表示する場合は、図１のように、方眼線の一部を非表示にすることで方眼表示と水準器表示が見にくくならないようにすることが可能となる。
【００６２】
本発明は、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理でも実現できる。この場合、そのプログラム、及び該プログラムを記憶した記憶媒体は本発明を構成することになる。
【符号の説明】
【００６３】
２  ミラー
２８  画像表示部
４２  測光回路
５０  システム制御部
５６  情報出力（ファインダー内表示含む）
５８  水準器（姿勢差検出装置）
１００  カメラ
１０４  ファインダー（ペンタプリズム含む）
【図１】
2015125308.tif 000003
【図２】
2015125308.tif 000004
【図３】
2015125308.tif 000005
【図４】
2015125308.tif 000006
【図５】
2015125308.tif 000007
【図６】
2015125308.tif 000008
【図７ａ】
2015125308.tif 000009
【図７ｂ】
2015125308.tif 000010
【図８】
2015125308.tif 000011
【図９】
2015125308.tif 000012
【図１０】
2015125308.tif 000013
【図１１】
2015125308.tif 000014
【図１２】
2015125308.tif 000015